【手続補正書】
【提出日】平成20年6月2日(2008.6.2)
【手続補正１】
【補正対象書類名】特許請求の範囲
【補正対象項目名】全文
【補正方法】変更
【補正の内容】
【特許請求の範囲】
【請求項１】
前記ネットワークサイトに関連付けられたナビゲーションリンクに対応するナビゲーションオブジェクトを作成するステップと、
前記ナビゲーションオブジェクトからナビゲーション構造を生成するステップであって、前記ナビゲーション構造が、前記ナビゲーションリンクに関連付けられた階層に従って編成される生成するステップと、
前記ネットワークサイトがオーサリング済みナビゲーションリンクを含むとき、
前記ナビゲーション構造内に前記ナビゲーション構造と関連する前記階層に含まれないオーサリング済みナビゲーションオブジェクトを含めるステップであって、
前記ナビゲーションリンクと関連する前記階層の外側に前記ネットワークのその他の部分と接続するツリー内リンクと、
前記ネットワークサイトを管理する同一エンティティによって管理さるその他のネットワークサイトと接続するツリー間リンクと
の１つ又はそれ以上を含む前記オーサリング済みナビゲーションオブジェクトを含めるステップと、
前記ネットワークサイトのページをレンダリングするステップであって、前記ページが、前記ナビゲーション構造に対応するフィールドを含むレンダリングするステップと、
を備えたことを特徴とするネットワークサイトのナビゲーションを管理するためのコンピュータ実施方法。
【請求項２】
前記フィールドは、前記ナビゲーション構造内のルートページの子ナビゲーションオブジェクトを含むグローバルナビゲーションフィールドであることを特徴とする請求項１に記載のコンピュータ実施方法。
【請求項３】
前記ルートページは、前記ナビゲーション構造の中間ノードに対応し、前記中間ノードは、前記中間ノードが後続の子ノードのルートノードであることを示すパラメータを有することを特徴とする請求項２に記載のコンピュータ実施方法。
【請求項４】
前記フィールドは、前記ページの子ナビゲーションオブジェクトを含むセクションナビゲーションフィールドであることを特徴とする請求項１に記載のコンピュータ実施方法。
【請求項５】
前記ページに関連付けられたメタデータの集合を検査して、どのナビゲーションオブジェクトを前記フィールド内に含めるかを決定するステップをさらに備えたことを特徴とする請求項１に記載のコンピュータ実施方法。
【請求項６】
前記ナビゲーションオブジェクトは、前記メタデータが、ナビゲーションオブジェクトが前記ナビゲーションに含められるべきでないことを示すように設定されたパラメータを含むとき、前記フィールドへの包含から除去されることを特徴とする請求項５に記載のコンピュータ実施方法。
【請求項７】
前記ナビゲーションオブジェクトは、前記ページがレンダリングされているユーザに関連付けられた識別が、ナビゲーションオブジェクトが前記ユーザに対して禁止されていることを示すとき、前記フィールドへの包含から除去されることを特徴とする請求項５に記載のコンピュータ実施方法。
【請求項８】
前記ナビゲーションオブジェクトは、前記メタデータが、ナビゲーションオブジェクトに対応するコンテンツの公表に対応するスケジューリングされた時間に達していないことを示すように設定されたパラメータを含むとき、前記フィールドへの包含から除去されることを特徴とする請求項５に記載のコンピュータ実施方法。
【請求項９】
前記オーサリング済みナビゲーションオブジェクトを前記構造に含めるステップは、前記オーサリング済みナビゲーションオブジェクトが領域の子として扱われるように、前記オーサリング済みナビゲーションオブジェクトを前記ナビゲーション構造のターゲット領域へグラフティングするステップをさらに備えたことを特徴とする請求項１に記載のコンピュータ実施方法。
【請求項１０】
前記ツリー内リンクは、前記ナビゲーション構造の２つの別々の部分をリンクすることを特徴とする請求項９に記載のコンピュータ実施方法。
【請求項１１】
キャッシュと、
ナビゲーションオブジェクトを作成して前記キャッシュに格納するように構成されたオブジェクトファクトリであって、前記ナビゲーションオブジェクトがネットワークサイトのナビゲーションリンクに対応するオブジェクトファクトリと、
前記オブジェクトファクトリに前記ナビゲーションオブジェクトを要求し、
前記ナビゲーションオブジェクトから、前記ナビゲーションリンクに関連付けられた階層に従って編成されるナビゲーション構造を生成し、
前記ネットワークサイトがオーサリング済みナビゲーションリンクを含むとき、前記ナビゲーション構造内のオーサリング済みナビゲーションオブジェクトをサポートするが、前記ナビゲーション構造と関連する前記階層に含まれず、および
前記ナビゲーション構造を前記ネットワークサイトのページのレンダリングで使用するために転送する
ように構成されたサイトマッププロバイダと、
を備えたことを特徴とする前記ネットワークサイトのナビゲーションを管理するためのシステム。
【請求項１２】
前記ページは、前記ナビゲーション構造内のルートページの子ナビゲーションオブジェクトを含むグローバルナビゲーションフィールドと、前記ページの子ナビゲーションオブジェクトを含むセクションナビゲーションフィールドとのうちの、少なくとも１つを含むことを特徴とする請求項１１に記載のシステム。
【請求項１３】
前記ルートページは、前記ナビゲーション構造の中間ノードに対応し、前記中間ノードは、前記中間ノードが後続の子ノードのルートノードであることを示すパラメータを有することを特徴とする請求項１２に記載のシステム。
【請求項１４】
前記ページに関連付けられたメタデータの集合を検査して、どのナビゲーションオブジェクトを前記フィールド内に含めるかを決定するステップをさらに備えたことを特徴とする請求項１１に記載のシステム。
【請求項１５】
前記ナビゲーションオブジェクトは、前記メタデータが、ナビゲーションオブジェクトが前記ナビゲーションに含められるべきでないことを示すように設定されたパラメータを含むとき、前記フィールドへの包含から除去されることを特徴とする請求項１４に記載のシステム。
【請求項１６】
前記オーサリング済みナビゲーションオブジェクトを前記構造に含めるステップは、前記オーサリング済みナビゲーションオブジェクトが領域の子として扱われるように、前記オーサリング済みナビゲーションオブジェクトを前記ナビゲーション構造のターゲット領域へグラフティングするステップをさらに含むことを特徴とする請求項１１に記載のシステム。
【請求項１７】
前記オーサリング済みナビゲーションオブジェクトは、前記ナビゲーション構造の２つの別々の部分をリンクするツリー内リンクと、前記ナビゲーション構造の他のネットワークサイトの一部をリンクするツリー間リンクとのうちの、少なくとも１つに対応することを特徴とする請求項１６に記載のシステム。
【請求項１８】
ネットワークサイトに関連付けられたナビゲーションリンクに対応するナビゲーションオブジェクトを作成するステップと、
前記ナビゲーションオブジェクトからナビゲーション構造を生成するステップであって、前記ナビゲーション構造が、前記ナビゲーションリンクに関連付けられた階層に従って編成される生成するステップと、
前記オーサリング済みナビゲーションオブジェクトが対象領域の子として処理されるように、前記オーサリング済みナビゲーションオブジェクトを前記ナビゲーション構造の前記対象領域に結合することによって、前記ネットワークサイトがオーサリング済みナビゲーションリンクを含むとき、前記ナビゲーション構造内にオーサリング済みナビゲーションオブジェクトを含めるステップと、
前記ナビゲーション構造から選択されるナビゲーションオブジェクトをトリミングするステップであって、前記選択されるナビゲーションオブジェクトが各ナビゲーションオブジェクトに対応するメタデータに従って選択されるトリミングするステップと、
前記ネットワークサイトのページをレンダリングするステップであって、前記ページが、前記選択されるナビゲーションオブジェクトがトリミングされた後の前記ナビゲーション構造に対応するフィールドを含むレンダリングするステップと、
を記憶したことを特徴とするネットワークサイトの可視化されたナビゲーション構造を生成することによってネットワークサイトのナビゲーションを管理するためのコンピュータ読取り可能な記憶媒体。
【請求項１９】
前記ナビゲーションオブジェクトは、前記メタデータが、ナビゲーションオブジェクトが前記ナビゲーションに含められるべきでないことを示すように設定されたパラメータを含むとき、トリミングされることを特徴とする請求項１８に記載のコンピュータ読取り可能な記憶媒体。